(57)【要約】【課題】製造が容易な電球形蛍光ランプを提供する。【解決手段】屈曲形の発光管３の第１の端部３ａ及び第２の端部３ｂを保持するホルダ４と、ホルダ４の、発光管３が保持されている側とは反対側に取り付けられたカバー２と、カバー２の、ホルダ４に取り付けられている側とは反対側に取り付けられている、開口の口径がホルダ４の外径よりも小さい口金１と、第２の端部３ｂに接続され、先端部８ａが口金１内まで延びている、アマルガム７を収納した配管８と、を有する。第２の端部３ｂと配管８との接続部３ｃは、口金１の開口のホルダ４に対する開口投影面１ｂ内に配置されている。【選択図】図１
2009135019.tif 000002
【特許請求の範囲】
【請求項１】
屈曲形の発光管の第１の端部及び第２の端部を保持するホルダと、
前記ホルダの、前記発光管が保持されている側とは反対側に取り付けられたカバーと、
前記カバーの、前記ホルダに取り付けられている側とは反対側に取り付けられている、開口の口径が前記ホルダの外径よりも小さい口金と、
前記第２の端部に接続され、先端部が前記口金内まで延びている、アマルガムを収納した配管と、を有し、
前記第２の端部と前記配管との接続部は、前記口金の開口の前記ホルダに対する投影面内に配置されている電球形蛍光ランプ。
【請求項２】
前記第１の端部は、少なくとも前記投影面外に配置されている部分を有するように前記ホルダに保持されている請求項１に記載の電球形蛍光ランプ。
【請求項３】
前記発光管は螺旋形状に成形されている、請求項１または２に記載の電球形蛍光ランプ。
【請求項４】
前記発光管はＵ字形状に成形されている、請求項１または２に記載の電球形蛍光ランプ。
【発明の詳細な説明】
【技術分野】
【０００１】
本発明はストレート形状の配管を有する電球形蛍光ランプに関する。
【背景技術】
【０００２】
一般に、蛍光ランプは、ガラス管の内面に蛍光体層を形成し、このガラス管内に水銀と希ガスを封入して構成した発光管内で放電を生じさせ、放電により発生する紫外線で蛍光体層を励起して可視光を得るようになっている。
【０００３】
このガラス管タイプの蛍光ランプの形状は、直管形や環形のものが一般的であるが、最近では、小型化や省電力化を図るために、白熱電球用のソケットに直接ねじ込み可能な蛍光ランプが製品化されている。このような電球形蛍光ランプは、数本のＵ字形などに屈曲形成されたバルブを数本つなぎ合わせて１本の放電路が形成された蛍光ランプを、カバー体に支持させて構成されている。このカバー体は口金を有し、蛍光ランプを点灯させるための点灯回路を収容している。
【０００４】
図３に、このような構成の電球形蛍光ランプの一部破断側面図を示す。
【０００５】
電球形蛍光ランプ１１０は、スパイラル形状の発光管１０３及び点灯回路（不図示）が取り付けられたホルダ１０４と、白熱電球用のソケット（不図示）にねじ込み可能な電源入力端である口金１０１が設けられたカバー１０２と、発光管１０３を覆うガラス製のグローブ１０５と、アマルガム１０７が封入された配管１０８と、を有する。
【０００６】
発光管１０３の一端である第１の端部１０３ａ及び他端の第２の端部１０３ｂはともにホルダ１０４に保持されている。第１の端部１０３ａは封着されており、第２の端部１０３ｂには配管１０８が接続されている。配管１０８は口金１０１にまで延びており、その途中に屈曲部１０８ａが形成されている。
【０００７】
配管１０８内に封入されたアマルガム１０７は安定点灯時に適切な水銀蒸気圧を制御するためのものである。しかし、アマルガム１０７の水銀蒸気圧は純水銀よりも低いため、自己発熱によって高温雰囲気に至るまでは光束が低い。従って安定点灯時のアマルガム１０７の温度を低くできれば、アマルガム１０７によって水銀蒸気圧を過度に低く制御する必要がなくなり、点灯瞬時の水銀蒸気圧を高くできるので光束の立ち上がりを改善することが可能となる。点灯回路が駆動している際中のホルダ１０４付近の空間の温度に対して、口金１０１内の空間の温度は比較的低い。よって、安定点灯時のアマルガム１０７の温度を低くするため、配管１０８の先端部は、この比較的温度の低い空間である口金１０１内まで延ばされている。
【０００８】
図３の電球形蛍光ランプ１１０における第２の端部１０３ｂと配管１０８との接続部１０４ｃは、口金１０１の開口より外側に配置されている。すなわち、接続部１０３ｃは、口金１０１の開口のホルダ１０４に対する投影面外に配置されている。よって、配管１０８は、その途中に屈曲部１０８ａを形成することで配管１０８がカバー１０２及び口金１０１に接触しないようにしている（特許文献１〜３）。
【特許文献１】特開２００４−１４６３３１号公報
【特許文献２】特開２００４−５５２９３号公報
【特許文献３】特開２００４−２０００４８号公報
【発明の開示】
【発明が解決しようとする課題】
【０００９】
しかしながら、屈曲部を有する配管は成形時に不良が発生しやすいという問題があった。また、成形された配管を組み付ける際に折れてしまう場合もあった。
【００１０】
そこで、成形性及び組立性を向上させるため、配管を屈曲部のないストレート形状にする構成が考えられる。ストレート形状の配管を電球形蛍光ランプに用いるには発光管の端部を電球形蛍光ランプの中心軸側に寄せた構成とする必要がある。発光管の端部を口金の開口のホルダに対する投影面内に位置するようにすることで配管を曲げる必要がなくなるからである。
【００１１】
しかしながら、発光管の両端が口金の開口のホルダに対する投影面内に位置するような形状の成形は、発光管をその両端部で大きく曲げる必要があるため、成形が困難である。また、このような発光管は、両端部が互いに近づきすぎているため、ホルダに発光管を安定的に固定するのが困難である。
【００１２】
そこで、本発明は、製造が容易な電球形蛍光ランプを提供することを目的とする。
【課題を解決するための手段】
【００１３】
上記目的を達成するため本発明の電球形蛍光ランプは、屈曲形の発光管の第１の端部及び第２の端部を保持するホルダと、ホルダの、発光管が保持されている側とは反対側に取り付けられたカバーと、カバーの、ホルダに取り付けられている側とは反対側に取り付けられている、開口の口径がホルダの外径よりも小さい口金と、第２の端部に接続され、先端部が口金内まで延びている、アマルガムを収納した配管と、を有し、第２の端部と配管との接続部は、口金の開口のホルダに対する投影面内に配置されている。
【発明の効果】
【００１４】
本発明によれば、製造が容易な、ストレート形状の配管を有する電球形蛍光ランプを提供することができる。
【発明を実施するための最良の形態】
【００１５】
図１に本発明の電球形蛍光ランプの一実施例の一部破断側面図を示す。図２に、発光管と配管との接続部と口金の開口のホルダに対する投影面との関係を示す模式図を示す。
【００１６】
電球形蛍光ランプ１０は、スパイラル形状の発光管３及び点灯回路（不図示）が装着されたホルダ４と、白熱電球用のソケット（不図示）にねじ込み可能な電源入力端である口金１が設けられたカバー２と、発光管３を覆うガラス製のグローブ５と、アマルガム７が封入されたストレート形状の配管８とを有する。
【００１７】
点灯回路は、トランジスタインバータを用いた高周波点灯回路部品を実装して構成されており、カバー２にて覆われる空間内に位置している。
【００１８】
グローブ５は、ホルダ４を挟んでカバー２に対して対向して配置されている。グローブ５は、透明または光拡散性のガラス製のものを用いているが、合成樹脂からものであってもよい。グローブ５は一端側が開口したカップ形状をなしている。グローブ５は、この開口した部分がホルダ４によって保持されている。
【００１９】
ホルダ４は、概ね円盤形状であり、一方の面に発光管３が配置され、他方の面上に点灯回路が設けられている。
【００２０】
カバー２は耐熱性の合成樹脂からなる。このカバー２はホルダ４の外周部分に不図示の爪が係合することで取り付けられている。また、ホルダ４と係合している側と反対側の端部には口金１が取り付けられている。口金１は接着剤またはかしめ等の手段によって固定されている。口金１の口径はホルダ４の外径よりも小さい。よって、カバー２の側断面形状は、ホルダ４から口金１に向けて絞り込まれた形状となっている。
【００２１】
発光管３はグローブ５に覆われており、その一端である第１の端部３ａ及び他端の第２の端部３ｂは同一方向を向くように曲げ成形され、ホルダ４に保持されている。発光管３としては、直管蛍光ランプを螺旋状に巻いたスパイラル管構造のもの以外に、直管２本を平行させたツイン管構造のもの、直管をＵ字状に屈曲させたＵ字管構造のものなどが適用可能である。発光管３の第１の端部３ａは封着されており、第２の端部３ｂには配管８が接続されている。図２に示すように、第２の端部３ｂと配管８とが接続された接続部３ｃは、口金１の開口１ａのホルダ４に対する開口投影面１ｂ内（ハッチングで示された領域内）に配置されている。一方、第１の端部３ａは、開口投影面１ｂ内に位置する部分と開口投影面１ｂ外に位置する部分とを有する位置に配置されている。すなわち、発光管３の端部は配管８が接続された側のみ電球形蛍光ランプ１０の中心軸Ｃにオフセットされたものとなっている。
【００２２】
配管８の形状は屈曲部がないストレート形状であり、接続部３ｃに接続された端部と反対側の先端部８ａは、口金１内にまで延びている。配管８内に封入されたアマルガム７は安定点灯時に適切な水銀蒸気圧を制御するためのものである。安定点灯時のアマルガム７の温度を低くできれば、アマルガム７によって水銀蒸気圧を過度に低く制御する必要がなくなり、点灯瞬時の水銀蒸気圧を高くできるので光束の立ち上がりを改善することが可能となる。点灯回路が駆動している際中のホルダ４付近の空間の温度に対して、口金１内の空間の温度は比較的低い。よって、安定点灯時のアマルガム７の温度を低くするため、配管８の先端部は、この比較的温度の低い空間である口金１内まで延ばされている。
【００２３】
口金まで配管の先端部を延ばすには、口金に向けて絞り込まれた形状のカバーへの干渉を回避する必要がある。図３に示した従来の電球形蛍光ランプ１１０の場合、配管１０８は、カバー１０２及び口金１０１への接触干渉を回避するため、その途中に屈曲部１０８ａを設ける必要があった。配管１０８の配管１０８においては２箇所の屈曲部１０８ａが設けられている。
【００２４】
これに対して本実施形態の電球形蛍光ランプ１０の発光管３は、接続部３ｃが開口投影面１ｂ内に配置されていることから、配管８がストレート形状であってもカバー２及び口金１と干渉しない。ストレート形状の配管８は、屈曲部を有する形状のものと比較して成形が容易である。
【００２５】
また、屈曲部を有する配管の場合、組み付け時に屈曲部に応力が集中してしまうことで屈曲部の部分で折れてしまう場合があったが、本実施形態のストレート形状の配管８の場合、このようなことがなく、組み付けにおける破損が生じにくい。
【００２６】
また、本実施形態の発光管３は、電球形蛍光ランプ１０の中心軸Ｃから第２の端部３ｂの中心軸Ｃ2までの距離Ｌ2が、中心軸Ｃから第１の端部３ａの中心軸Ｃ1までの距離Ｌ1よりも短い。すなわち、本実施形態の発光管３は、配管８が接続された第２の端部３ｂ側のみが中心軸Ｃに近づくような曲げ加工がなされている。つまり、本実施形態の発光管３は、第１の端部３ａおよび第２の端部３ｂの双方を中心軸Ｃに向けて大きく曲げているものではなく、片方の端部だけを大きく曲げている。よって、本実施形態の発光管３は、発光管の両端部を互いに近づけるように曲げて成形するのに比べ、両端部を曲げて成形するのに比較して成形が容易である。
【００２７】
また、発光管の両端部が近づきすぎているとホルダ４への安定的な固定が困難となる。つまり、両端部が近づきすぎている構成の発光管は、ホルダ４に固定したとしてもぐらつきが生じやすい。よって、これを回避するためにさらなる固定部材が必要となったり、あるいは、安定的な固定のための製造工程が増えてしまったりする場合がある。
【００２８】
これに対して本実施形態の発光管３は第１の端部３ａおよび第２の端部３ｂが近づきすぎていないため、ホルダ４に安定的に固定するのも比較的容易となる。
【００２９】
以上説明したように、本実施形態の電球形蛍光ランプ１０の発光管３は、第２の端部３ｂと配管８との接続部３ｃを開口投影面１ｂ内に配置することでストレート形状の配管８を用いることができるようにしたこと、及び第１の端部３ａ側は中心軸Ｃに向けて大きく曲げないようにした。これにより、配管８の成形及び組み付けが容易であり、かつ、発光管３の成形及び安定的な固定が可能となり、よって、製造が容易な電球形蛍光ランプを提供することが可能となった。
【図面の簡単な説明】
【００３０】
【図１】本発明の電球形蛍光ランプの一実施例の一部破断側面図である。
【図２】発光管と配管との接続部と口金の開口のホルダに対する投影面との関係を示す模式図である。
【図３】従来の電球形蛍光ランプの一例の一部破断側面図である。
【符号の説明】
【００３１】
１    口金
１ａ    開口
１ｂ    開口投影面
２    カバー
３    発光管
３ａ    第１の端部
３ｂ    第２の端部
３ｃ    接続部
４    ホルダ
５    グローブ
６    点灯装置
７    アマルガム
８    配管
１０    電球形蛍光ランプ
【図１】
2009135019.tif 000003
【図２】
2009135019.tif 000004
【図３】
2009135019.tif 000005